(57)【要約】【課題】ＣＴ画像の観察に基づくオペレータのスキャン停止操作を支援し、スキャン停止のタイミング見逃しによる被検体の被ばく線量増加を防止すること。【解決手段】本発明では、ヘリカルスキャンを実行しながら画像データを生成するとともに、その画像データに基づくＣＴ画像をリアルタイム画像として逐次表示し、操作者の停止要求を受けたタイミングでヘリカルスキャンを停止するＸ線ＣＴ装置１において、被検体に設定された特定のスキャン位置をキャプチャ位置とし、スキャン位置がキャプチャ位置に到達したか否かを判定するスキャン位置判定部８と、そのキャプチャ位置のＣＴ画像を静止画であるキャプチャ画像とし、このキャプチャ画像をリアルタイム画像とともに表示する表示部５とを備えることを特徴とする。【選択図】  図１
2011024894.tif 000002
【特許請求の範囲】
【請求項１】
ヘリカルスキャンを実行しながら画像データを生成するとともにその画像データに基づくＣＴ画像をリアルタイム画像として逐次表示し、操作者の停止要求を受けたタイミングでヘリカルスキャンを停止するＸ線ＣＴ装置において、
被検体に設定された特定のスキャン位置をキャプチャ位置とし、スキャン位置がキャプチャ位置に到達したか否かを判定するスキャン位置判定部と、
前記キャプチャ位置のＣＴ画像を静止画であるキャプチャ画像とし、このキャプチャ画像をリアルタイム画像とともに表示する表示部と、
を備えることを特徴とするＸ線ＣＴ装置。
【請求項２】
前記キャプチャ位置は、アキシャル方向に沿って複数設定され、
前記表示部は、１度表示したキャプチャ画像の表示を保持し、各キャプチャ位置のキャプチャ画像を１画面に並べて表示していくことを特徴とする請求項１に記載のＸ線ＣＴ装置。
【請求項３】
前記スキャン位置判定部は、被検体を天板に載せてＸ線照射場に移送する寝台の天板駆動量又はその天板の位置に基づいて、スキャン位置がキャプチャ位置に到達したか否かを判定することを特徴とする請求項１又は請求項２に記載のＸ線ＣＴ装置。
【請求項４】
前記スキャン位置判定部は、
スキャン位置が最初のキャプチャ位置に到達したか否かを判定するときは、被検体を天板に載せてＸ線照射場に移送する寝台の天板駆動量又はその天板の位置を指標とし、
スキャン位置が次ぎのキャプチャ位置に到達したか否かを判定するときは、スキャン位置が最初のスキャン位置に到達したと判定した時点を基準とする経過時間、又は、天板駆動量を指標とすることを特徴とする請求項２に記載のＸ線ＣＴ装置。
【請求項５】
ヘリカルスキャンの実行中に、そのヘリカルスキャンで生成される画像データに基づくＣＴ画像をリアルタイム画像として表示部に逐次表示させるＸ線ＣＴ装置の画像表示処理プログラムにおいて、
被検体に設定された特定のスキャン位置をキャプチャ位置とし、スキャン位置がキャプチャ位置に到達したか否かを判定するステップと、
前記キャプチャ位置のＣＴ画像を静止画であるキャプチャ画像とし、このキャプチャ画像をリアルタイ画像とともに表示させるステップと、
を実行することを特徴とする画像表示処理プログラム。
【発明の詳細な説明】
【技術分野】
【０００１】
本発明は、Ｘ線ＣＴ技術に係り、特に、リアルタイム・ヘリカルスキャンを実行するＸ線ＣＴ装置及びその画像表示処理プログラムに関する。
【背景技術】
【０００２】
近年、ヘリカルスキャンと同時にリアルタイムで各種画像データを生成するとともに、その画像データに基づくＣＴ画像を表示していくＸ線ＣＴ装置が提案されている（特許文献１参照）。
【０００３】
このＸ線ＣＴ装置を用いると、オペレータはヘリカルスキャンの実行中にスキャン停止の要否を現状判断でき、スキャノグラムなどに基づいて予め定められた撮影範囲を漏れなく且つ正確にスキャンを実行できる。その結果、スキャンのやり直しは減少し、被検体の被ばく線量が抑えられ、また、スループットが向上するなどの優れた臨床的効果がもたらされる。
【先行技術文献】
【特許文献】
【０００４】
【特許文献１】特開２００７−３１９３９７号公報
【発明の概要】
【発明が解決しようとする課題】
【０００５】
リアルタイム・ヘリカルスキャンにあっては、オペレータはリアルタイムで表示されるＣＴ画像を観察し、予定の撮影範囲を対象としてスキャンが完了したと判断したときにスキャン停止操作を行う。
【０００６】
しかし、近年のＸ線ＣＴ装置は、Ｘ線検出素子アレイの多列化などの技術進歩により、スキャンが高速化しつつある。スキャンの高速化は、被検体をＸ線照射場に移送する寝台の天板駆動スピードの高速化でもあり、リアルタイムで表示されるＣＴ画像の切り替えの高速化でもある。そのため、オペレータがスキャン停止操作のタイミング指標となるＣＴ画像を見逃してしまい、スキャン範囲が予定の撮影範囲を大きく超えて被検体の被ばく線量が増加することが心配される。
【０００７】
この問題の解決策の１つは、予定の撮影範囲を対象としたスキャンが完了した時点で、オペレータの停止操作によることなく自動的にスキャンを停止させることである。しかし、スキャンの自動停止制御を用いると、例えば被検体の体動によって予定の撮影範囲に満たないスキャンとなったり、予定の撮影範囲にかかわらずスキャンを延長し或いは中断すべき場合などに柔軟に対応できず、リアルタイムでＣＴ画像を表示していく長所が活かされない。
【０００８】
本発明は上記事情に鑑みてなされたもので、ＣＴ画像の観察に基づくオペレータのスキャン停止操作が支援され、スキャン停止のタイミング見逃しによる被検体の被ばく線量増加を防止できるＸ線ＣＴ装置及びその画像表示処理プログラムを提供することを目的とする。
【課題を解決するための手段】
【０００９】
上述した目的を達成するため、本発明に係るＸ線ＣＴ装置では、ヘリカルスキャンを実行しながら画像データを生成するとともに、その画像データに基づくＣＴ画像をリアルタイム画像として逐次表示し、操作者の停止要求を受けたタイミングでヘリカルスキャンを停止するＸ線ＣＴ装置において、被検体に設定された特定のスキャン位置をキャプチャ位置とし、スキャン位置がキャプチャ位置に到達したか否かを判定するスキャン位置判定部と、そのキャプチャ位置のＣＴ画像を静止画であるキャプチャ画像とし、このキャプチャ画像をリアルタイム画像とともに表示する表示部とを備えることを特徴とする。
【００１０】
本発明に係る画像表示処理プログラムでは、ヘリカルスキャンの実行中に、そのヘリカルスキャンで生成される画像データに基づくＣＴ画像をリアルタイム画像として表示部に逐次表示させるＸ線ＣＴ装置の画像表示処理プログラムにおいて、被検体に設定された特定のスキャン位置をキャプチャ位置とし、スキャン位置がキャプチャ位置に到達したか否かを判定するステップと、そのキャプチャ位置のＣＴ画像を静止画であるキャプチャ画像とし、このキャプチャ画像をリアルタイ画像とともに表示させるステップとを実行することを特徴とする。
【発明の効果】
【００１１】
本発明によれば、ＣＴ画像の観察に基づくオペレータのスキャン停止操作が支援され、スキャン停止のタイミング見逃しによる被検体の被ばく線量増加を防止できる。
【図面の簡単な説明】
【００１２】
【図１】本発明に係るＸ線ＣＴ装置の第１実施形態を示す機能ブロック図。
【図２】ヘリカルスキャンに先立って設定されるキャプチャ位置の設定説明図。
【図３】図１のＸ線ＣＴ装置にて実行されるキャプチャ画像表示処理の流れ（画像表示処理プログラム）を示すフローチャート。
【図４】図１のＸ線ＣＴ装置にて実行されるキャプチャ画像表示処理の説明図。
【図５】本発明に係るＸ線ＣＴ装置の第２実施形態を示すフローチャートであり、キャプチャ画像表示処理の流れ（画像表示処理プログラム）を示すフローチャート。
【図６】図５のＸ線ＣＴ装置にて実行されるキャプチャ画像表示処理の説明図。
【発明を実施するための形態】
【００１３】
添付図面を参照して、本発明の実施形態を説明する。
【００１４】
（第１実施形態）
図１は本発明に係るＸ線ＣＴ装置の第１実施形態を示す機能ブロック図である。
【００１５】
第１実施形態のＸ線ＣＴ装置１は、ヘリカルスキャンを実行しながら画像データを生成するとともに、その画像データに基づくＣＴ画像をリアルタイム画像として逐次表示し、操作者の停止要求を受けたタイミングでヘリカルスキャンを停止するＸ線ＣＴ装置である。このＸ線ＣＴ装置１は、寝台２、Ｘ線照射架台３、データ処理部４、表示部５、入力部６、システム制御部７、及び、スキャン位置判定部８を備える。
【００１６】
寝台２は、被検体Ｐを載置する天板２０１と、天板２０１をＸ線照射架台３のＸ線照射場に向かって移動させヘリカルスキャンを可能とする天板駆動装置２０２とを有する。
【００１７】
Ｘ線照射架台３は、被検体挿通路３０１を形成し、回転駆動装置３０２の駆動制御を受けて被検体挿通路３０１の外周に沿って３６０℃回転されるＸ線発生管３０３、Ｘ線検出器３０４、高電圧発生装置３０５、データ収集装置（ＤＡＳ）３０６を有する。
【００１８】
Ｘ線発生管３０３とＸ線検出器３０４は、天板２０１に載置された被検体Ｐを挟んで対向保持されて一体となって回転する。このＸ線発生管３０３は、高電圧発生装置３０５から所要の管電圧の供給を受け、３６０°の任意回転位置から管電圧に応じたエネルギーのＸ線ファンビームを被検体Ｐに向かって放射する。Ｘ線検出器３０４は、ヘリカルスキャンの高速化を図るため、複数のＸ線検出素子（図示省略）がその回転方向Ｄ１及びアキシャル方向（体軸方向）Ｄ２の各方向に２次元配置されるＸ線検出素子アレイにより構成される。
【００１９】
データ収集装置３０６は、ヘリカルスキャンに基づいてＸ線検出器に蓄積され、被検体Ｐを通過した透過Ｘ線の減衰率情報を保有する蓄積電荷（Ｘ線検出信号）を読み出し、ディジタルデータに変換してデータ処理部４に送る。
【００２０】
データ処理部４は、前処理部４０１、再構成処理部４０２、記憶部４０３及び画像処理部４０４を有する。
【００２１】
前処理部４０１は、データ収集装置３０６から送られてくるディジタルデータに対し、感度補正やＸ線減衰率の対数変換（ラドン変換）などの各種の処理を施して投影データとする。再構成処理部４０２は、前処理部４０１で生成された投影データについてフーリエ変換法などに基づく再構成処理を施してＸ線減衰率分布を算出し、被検体ＰのＣＴ画像となる画像データを生成する。生成された画像データは記憶部４０３に保存される。画像処理部４０４は、記憶部４０３に保存された画像データに基づいて、任意断面の断層画像データ或いはレンダリング処理による３次元立体画像データなど、各種の画像データに変換する。
【００２２】
表示部５は、画像処理部４０４にて断層画像データが生成されたタイミングでその断層画像データを読み込むとともに、モニタの表示画面（図示省略）に断層像に関わるＣＴ画像を表示する。即ち、表示部５は、ヘリカルスキャンの実行中に、アキシャル方向Ｄ２の各位置の断層画像データが生成されるのと略同期して、その各位置の断層像に関わるＣＴ画像をリアルタイム画像として逐次表示していく。
【００２３】
なお、入力部６は、表示部５のモニタに表示される画像コントラスト、静止画／動画の切り替えや関心領域（ＲＯＩ）などの表示条件等のユーザ設定を可能とし、システム制御部７は、ユーザ設定に基づいて天板駆動装置２０２、回転駆動装置３０２、高電圧発生装置３０５及びデータ収集装置３０６を制御する。
【００２４】
次に、Ｘ線ＣＴ装置１にて実行されるキャプチャ画像表示処理を説明する。
【００２５】
一般に、ヘリカルスキャンに先立って、スキャノグラムを用いて被検体Ｐの撮影範囲が設定される。この撮影範囲は、被検体Ｐのアキシャル方向Ｄ２のスキャン範囲を定めるもので、図２に示すように、スキャン開始位置（例えば、胸部の所定位置）からスキャン停止位置（例えば、腹部の所定位置）が設定される。このスキャン開始位置とスキャン停止位置とで定められる撮影範囲は、撮影の対象とする注目部位を包含する領域となる。
【００２６】
Ｘ線ＣＴ装置１を用いたヘリカルスキャンにあっては、撮影範囲の設定に加え、図２に示すようにキャプチャ位置が設定される。このキャプチャ位置は、スキャン開始位置よりもスキャン停止位置寄りに設定される。表示部５は、スキャン位置判定部８と協働し、キャプチャ位置のＣＴ画像（キャプチャ画像）をリアルタイム画像とともにモニタの表示画面に表示する。
【００２７】
図３はＸ線ＣＴ装置１にて実行されるキャプチャ画像表示処理の流れ（画像表示処理プログラム）を示すフローチャートである。
【００２８】
ステップＳ１０１は、ヘリカルスキャンを実行するステップである。ヘリカルスキャンの開始は、オペレータのスキャン開始要求を受けて行われる。
【００２９】
ステップＳ１０２は、表示部５がリアルタイム画像を表示するステップである。表示部５は、オペレータのスキャン停止要求がない限り、ヘリカルスキャンの実行中にスキャン開始位置（図２参照）のＣＴ画像（断層画像）を始めとして、各スキャン位置のＣＴ画像をリアルタイム画像としてモニタの表示画面に表示していく。
【００３０】
ステップＳ１０３は、スキャン位置判定部８がヘリカルスキャンによる現在のスキャン位置を特定可能なスキャン位置信号を読み込むステップである。このスキャン位置信号は、天板２０１の位置ないし天板２０１の駆動量が用いられ、天板駆動装置２０２から出力される信号が利用される。
【００３１】
ステップＳ１０４は、スキャン位置判定部８がステップＳ１０３で読み込んだスキャン位置信号に基づき、現在のスキャン位置がキャプチャ位置に到達したか否か＜Ｙｅｓ／Ｎｏ＞を判定するステップである。
【００３２】
ステップＳ１０５は、ステップＳ１０４で＜Ｙｅｓ＞と判定した場合に実行し、表示部５がキャプチャ画像を表示するステップである。キャプチャ画像は、図４に示すようにリアルタイム画像（ステップＳ１０２）の表示画面と同一の画面にポップアップ表示される。なお、図４に示す「位置決め画像」は、スキャノグラムなどに基づいて定められた撮影範囲を示す画像である。
【００３３】
ステップＳ１０６は、ステップＳ１０５に続いて又はステップＳ１０４で＜Ｎｏ＞と判定した場合に実行し、オペレータのスキャン停止要求があったか否か（Ｙｅｓ／Ｎｏ）を判定するステップである。
【００３４】
ステップＳ１０７は、ステップＳ１０６で＜Ｙｅｓ＞と判定した場合に実行し、ヘリカルスキャンを停止するステップである。なお、ステップＳ１０６で＜Ｎｏ＞と判定した場合はステップＳ１０１に移行し、ステップＳ１０２〜ステップＳ１０７の処理が繰り返される。
【００３５】
次に、作用を説明する。
【００３６】
Ｘ線ＣＴ装置１にあっては、オペレータによるスキャン開始要求を受けてヘリカルスキャンが開始されると、現在のスキャン位置がキャプチャ位置に到達したか否かが常時判定される（ステップＳ１０４）。
【００３７】
スキャン位置がキャプチャ位置に到達するまでは、オペレータのスキャン停止要求がない限り、ステップＳ１０１→ステップＳ１０２→ステップＳ１０３→ステップＳ１０４→ステップＳ１０６→ステップＳ１０１という流れで処理が繰り返される。
【００３８】
即ち、ヘリカルスキャンの実行中にリアルタイム画像が表示され更新されていく。従って、オペレータは、リアルタイム画像を観察してスキャン停止要求のタイミングを計ることができる。
【００３９】
スキャン位置がキャプチャ位置に到達したときは、オペレータのスキャン停止要求がない限り、ステップＳ１０１→ステップＳ１０２→ステップＳ１０３→ステップＳ１０４→ステップＳ１０５→ステップＳ１０６→ステップＳ１０１という流れで処理が繰り返される。
【００４０】
即ち、ヘリカルスキャンの実行中にリアルタイム画像が表示され更新されるとともに、特定のスキャン位置のＣＴ画像がキャプチャ画像として静止画表示され且つ保持される。従って、オペレータは、リアルタイム画像と静止画であるキャプチャ画像とを併用してスキャン停止の要否を判断できる。そのため、リアルタイム画像の観察のみではスキャン停止の要否判断が困難な場合であっても、オペレータによるスキャン停止のタイミング見逃しの低減が期待できる。
【００４１】
また、キャプチャ画像が表示されるキャプチャ位置は、スキャン停止位置（撮影範囲の終盤）の近傍に且つスキャン開始位置寄りに設定されることから、キャプチャ画像の表示は、現在のスキャン位置がスキャン停止位置に近づいたこと、即ち、スキャンを停止すべきタイミングに近づいたことの注意喚起となる。
【００４２】
次に、効果を説明する。
【００４３】
Ｘ線ＣＴ装置１にあっては、
（１）被検体Ｐに設定された特定のスキャン位置をキャプチャ位置とし、スキャン位置がキャプチャ位置に到達したか否かを判定するスキャン位置判定部８と、キャプチャ位置のＣＴ画像を静止画たるキャプチャ画像とし、このキャプチャ画像をリアルタイム画像とともに表示する表示部５とを備える。このため、ＣＴ画像の観察に基づくオペレータのスキャン停止操作において、スキャン停止のタイミング見逃しによる被検体の被ばく線量増加を防止できる。
【００４４】
（２）スキャン位置判定部８は、被検体Ｐを天板２０１に載せてＸ線照射場に移送する寝台２の天板駆動量又はその天板の位置に基づいて、スキャン位置がキャプチャ位置に到達したか否かを判定する。このように天板２０１の位置やその駆動量を用いると現在のスキャン位置を一義的に特定できるので、精度の高いスキャン位置判定を行うことができ、（１）の効果が高められる。
【００４５】
また、画像表示処理プログラムにあっては、
（３）被検体Ｐに設定された特定のスキャン位置をキャプチャ位置とし、スキャン位置がキャプチャ位置に到達したか否かを判定するステップＳ１０４と、キャプチャ位置のＣＴ画像を静止画たるキャプチャ画像とし、このキャプチャ画像をリアルタイ画像とともに表示するステップＳ１０５とを実行する。このため、ＣＴ画像の観察に基づくオペレータのスキャン停止操作において、スキャン停止のタイミング見逃しによる被検体の被ばく線量増加を防止できる。
【００４６】
（第２実施形態）
第２実施形態のＸ線ＣＴ装置１Ａは、第１実施形態のＸ線ＣＴ装置１にて実行されるキャプチャ画像表示処理の流れ（画像表示処理プログラム）を変更した例である。
【００４７】
図５はＸ線ＣＴ装置１Ａにて実行されるキャプチャ画像表示処理の流れ（画像表示処理プログラム）を示すフローチャートである。なお、ステップＳ２０１、ステップＳ２０２、ステップＳ２０６及びステップＳ２０７の各処理は、夫々、第１実施形態のステップＳ１０１、ステップＳ１０２、ステップＳ１０６及びステップＳ１０７の各処理と同様であるので、説明を省略する。
【００４８】
ステップＳ２０３は、スキャン位置判定部８がヘリカルスキャンによる現在のスキャン位置を特定（カウント）するステップである。スキャン位置判定部８は、複数個所のスキャン位置を特定する。最初のキャプチャ位置（第１キャプチャ位置）の特定は、第１実施形態と同様に、天板２０１の位置ないし天板２０１の駆動量を用いて行われる。
【００４９】
ステップＳ２０４は、スキャン位置判定部８がステップＳ２０３で特定したスキャン位置に基づき、現在のスキャン位置が第１キャプチャ位置に到達したか否か＜Ｙｅｓ／Ｎｏ＞を判定するステップである。
【００５０】
ステップＳ２０５は、ステップＳ２０４で＜Ｙｅｓ＞と判定した場合に実行し、表示部５が第１キャプチャ画像を表示するステップである。キャプチャ画像は、図６に示すようにリアルタイム画像（ステップＳ２０２）の表示画面と同一の画面にポップアップ表示される。なお、図４に示す「位置決め画像」は、スキャノグラムなどに基づいて定められた撮影範囲を示す画像である。
【００５１】
ステップＳ２０６は、ステップＳ２０５に続いて又はステップＳ２０４で＜Ｎｏ＞と判定した場合に実行し、オペレータのスキャン停止要求があったか否か（Ｙｅｓ／Ｎｏ）を判定するステップである。
【００５２】
ステップＳ２０７は、ステップＳ２０６で＜Ｙｅｓ＞と判定した場合に実行し、ヘリカルスキャンを停止するステップである。ステップＳ２０６で＜Ｎｏ＞と判定した場合は、ステップＳ２０１に移行し、ステップＳ２０２〜ステップＳ２０７の処理が繰り返される。
【００５３】
２回目のステップＳ２０４は、スキャン位置判定部８が天板２０１の位置ないし天板２０１の駆動量に代えて「経過時間」を読み込むステップである。「経過時間」は、スキャン位置が第１スキャン位置に到達したと判定した時点からの経過時間である。
【００５４】
ステップＳ２０４は、スキャン位置判定部８がステップＳ２０３で特定した経過時間に基づき、現在のスキャン位置が次のキャプチャ位置（第２キャプチャ位置）に到達したか否か＜Ｙｅｓ／Ｎｏ＞を判定するステップである。第２キャプチャ位置は、スキャン位置が第１スキャン位置に到達したと判定した時点から１秒間経過した時点のスキャン位置とされる。３回目以降のステップ２０３及びステップＳ２０４についても同様である。
【００５５】
ステップＳ２０５は、各回のステップＳ２０４で＜Ｙｅｓ＞と判定した場合に実行し、表示部５が各キャプチャ画像を表示するステップである。第２キャプチャ画像その他のキャプチャ画像は、図６に示すようにリアルタイム画像の表示画面と同一の画面に順次ポップアップ表示される。
【００５６】
次に、作用を説明する。
【００５７】
Ｘ線ＣＴ装置１Ａにあっては、オペレータによるスキャン開始要求を受けてヘリカルスキャンが開始されると、現在のスキャン位置がキャプチャ位置に到達したか否かが常時判定される（ステップＳ２０４）。
【００５８】
スキャン位置がキャプチャ位置に到達したときは、オペレータのスキャン停止要求がない限り、ステップＳ２０１→ステップＳ２０２→ステップＳ２０３→ステップＳ２０４→ステップＳ２０５→ステップＳ２０６→ステップＳ２０１という流れで処理が繰り返される。
【００５９】
即ち、ヘリカルスキャンの実行中にリアルタイム画像が表示され更新されるとともに、特定且つ複数のスキャン位置のＣＴ画像がキャプチャ画像として静止画表示され且つ保持される。従って、オペレータは、リアルタイム画像と静止画である複数のキャプチャ画像とを併用してスキャン停止の要否を判断できる。そのため、リアルタイム画像の観察のみではスキャン停止の要否判断が困難な場合であっても、オペレータによるスキャン停止のタイミング見逃しが格段に低減することが期待できる。
【００６０】
特に、キャプチャ画像は、スキャンの進行に合わせて複数表示されていくので、例えば、被検体Ｐの血管に造影剤を注入してアキシャル画像を得る場合にあっては、造影剤の染まり具合の進展を確認しながらヘリカルスキャンを行うことが可能となる。
【００６１】
即ち、造影剤の浸透が十分でなく第１キャプチャ画像が不鮮明であったときは、スキャンを暫時中断して一定時間の経過後にスキャンを再開し、同様に第２キャプチャ画像が不鮮明であったときは、再びスキャンを中断して一定時間の経過後にスキャンを再開するといった慎重なスキャン操作が可能となる。その結果、造影剤の浸透が不十分でＣＴ画像が不鮮明となり、スキャンをやり直すという不都合を防止できる。なお、他の作用は第１実施形態と同様であるので説明を省略する。
【００６２】
次に、効果を説明する。
【００６３】
Ｘ線ＣＴ装置１Ａにあっては、第１実施形態の（１）及び（２）の効果に加え、次の効果を得ることができる。  
（４）キャプチャ位置はアキシャル方向に沿って複数設定され、表示部５は一度表示したキャプチャ画像の表示を保持しつつ、各キャプチャ位置のキャプチャ画像を１画面に並べて表示していく。即ち、キャプチャ画像は、スキャンの進行に合わせて複数表示されていく。このため、造影剤を用いたアキシャル画像を得る場合において、造影剤の染まり具合を確認しつつヘリカルスキャンを実行でき、ＣＴ画像の不鮮明によるスキャンのやり直し、つまり、スループットの悪化や被検体の被ばく線量増加を防止できる。
【００６４】
以上、本発明に係るＸ線ＣＴ装置及びその画像表示処理プログラムを第１実施形態及び第２実施形態に基づき説明してきたが、具体的な構成については、これらの実施形態に限られるものではなく、特許請求の範囲に記載の発明の要旨を逸脱しない限り設計の変更や追加等は許容される。
【００６５】
例えば、第２実施形態では、スキャン位置が最初のキャプチャ位置に到達した時点から１秒間経過した時点のスキャン位置を次のキャプチャ位置とする例を示したが、この経過時間は適宜設定でき、例えば、第１キャプチャ位置への到達を判定してから１．５秒間経過した時点のスキャン位置を第２キャプチャ位置とし、第２キャプチャ位置への到達を判定してから２秒間経過した時点のスキャン位置を第３キャプチャ位置としてもよい。
【００６６】
また、スキャン位置がキャプチャ位置に到達したか否かの判定は、スキャン位置が最初のキャプチャ位置に到達したと判定した時点のスキャン位置を基準位置とする天板駆動量（例えば、１ｃｍ）を用いて判定してもよい。
【００６７】
また、第１実施形態及び第２実施形態ともに、再構成処理を経た画像データを用いてリアルタイム画像を表示させる例としたが、再構成処理の速度不十分によりリアルタイム画像が表示困難である場合は、例えば、投影データに対して再構成処理よりも簡易で且つ処理時間を要しない処理を施して画像データを生成し、その画像データを用いてリアルタイム画像を表示させるようにしてもよい。
【符号の説明】
【００６８】
Ｐ……被検体，  Ｄ１……回転方向，  Ｄ２……アキシャル方向，  １……Ｘ線ＣＴ装置，  ２……寝台，  ２０１……天板，  ２０２……天板駆動装置，  ３……Ｘ線照射架台，  ３０１……被検体挿通路，  ３０２……回転駆動装置，  ３０３……Ｘ線発生管，  ３０４……Ｘ線検出器，  ３０５……高電圧発生装置，  ３０６……データ収集装置，  ４……データ処理部，  ４０１……前処理部，  ４０２……再構成処理部，  ４０３……記憶部，  ４０４……画像処理部，  ５……表示部，  ６……入力部，
７……システム制御部，  ８……スキャン位置判定部．
【図１】
2011024894.tif 000003
【図２】
2011024894.tif 000004
【図３】
2011024894.tif 000005
【図４】
2011024894.tif 000006
【図５】
2011024894.tif 000007
【図６】
2011024894.tif 000008